(57)【要約】【課題】優れた美観を得ることができながらも、排出された原稿を容易に取り出すことのできる媒体搬送装置を提供する。【解決手段】排出される原稿を受ける原稿受け手段２３は、第１原稿受け部２４と第２原稿受け部２６とで構成される。第１原稿受け部２４は、第１原稿受け面２４ａが第２原稿受け面２６ａと接続して段差の無い滑らかな装置外観面を形成する第１状態と、第１原稿受け面２４ａの下流側端部が第２原稿受け面２６ａの上流側端部との間に段差を形成する第２状態と、を切り換え可能に設けられている。【選択図】図２
2012197169.tif 000002
【特許請求の範囲】
【請求項１】
媒体を搬送する媒体搬送経路の外に媒体を排出する媒体排出手段と、
前記媒体排出手段によって排出された媒体を受ける媒体受け手段と、を備え、
前記媒体受け手段は、媒体を支持する第１媒体受け面を形成する第１媒体受け部材と、
前記第１媒体受け部材より媒体排出方向下流側に設けられるとともに、媒体を支持する第２媒体受け面を形成する第２媒体受け部材と、を備えて構成され、
前記第１媒体受け部材は、前記第１媒体受け面が前記第２媒体受け面と接続して装置外観面を形成する第１状態と、前記第１媒体受け面が前記第２媒体受け面との間に段差を形成する第２状態と、を切り換え可能に設けられている、
ことを特徴とする媒体搬送装置。
【請求項２】
請求項１に記載の媒体搬送装置において、前記第１媒体受け部材が前記第１状態をとるとき、当該第１媒体受け部材が媒体を排出する媒体排出口を塞ぎ、
前記第１媒体受け部材が前記第２状態をとるとき、当該第１媒体受け部材が前記媒体排出口を開放する構成を備える、
ことを特徴とする媒体搬送装置。
【請求項３】
請求項１または２に記載の媒体搬送装置において、前記第１媒体受け部材が前記第２状態にあるとき、当該第２状態を維持する様に前記第１媒体受け部材を拘束する拘束手段を有する、
ことを特徴とする媒体搬送装置。
【請求項４】
請求項１から３のいずれか１項に記載の媒体搬送装置において、前記媒体搬送経路の入口に、給送される媒体を支持する媒体サポートを備え、
前記媒体サポートは、回動することにより媒体を支持可能な開姿勢と、装置の外観を構成する閉姿勢と、を切り換え可能に設けられ、
前記媒体サポートと前記第１媒体受け部材とがリンク部材を介して係合し、前記媒体サポートが閉じる方向に回動すると前記第１媒体受け部材が前記第１状態に切り換わり、前記媒体サポートが開く方向に回動すると前記第１媒体受け部材が前記第２状態に切り換わる構成を備える、
ことを特徴とする媒体搬送装置。
【請求項５】
媒体を搬送する媒体搬送経路の外に媒体を排出する媒体排出手段と、
前記媒体排出手段によって排出された媒体を受ける媒体受け手段と、を備え、
前記媒体受け手段は、媒体を支持する媒体受け面を形成するとともに、媒体を排出する媒体排出口を塞ぐ第１状態と、前記媒体排出口を開放する第２状態と、を切り換え可能に設けられた媒体受け部材と、
前記媒体受け部材が前記第１状態をとる際には前記媒体受け部材の下側に位置しており、前記媒体受け部材が前記第２状態をとる際には前記媒体受け部材に形成された穴部から前記媒体受け面上に突出する突起と、を備えて構成されている、
ことを特徴とする媒体搬送装置。
【請求項６】
媒体の面を読み取る読み取り手段と、
媒体を前記読み取り手段による読み取り位置へと搬送する、請求項１から５のいずれか１項に記載の媒体搬送装置と、
を備えたスキャナ装置。
【請求項７】
媒体に記録を行う記録部と、
前記記録部の上部に設けられた、請求項６に記載のスキャナ装置と、
を備えた記録装置。
【発明の詳細な説明】
【技術分野】
【０００１】
本発明は、媒体を搬送する媒体搬送装置、およびこれを備えたスキャナ装置並びに記録装置に関する。
【背景技術】
【０００２】
記録装置或いは液体噴射装置の一例としてインクジェットプリンターがある。近年、インクジェットプリンターは、プリンター機能に加えてスキャナ機能を備えた所謂複合機が主流となりつつある。複合機は、１台で原稿の読み取りと、用紙への記録を実行することができ、利便性が良いとともに設置スペースの節約にもなる。
【０００３】
そしてスキャナには原稿の自動送り装置（ＡＤＦ（Auto Document Feeder）とも呼ばれる）が設けられ、複数枚の原稿の自動送りと読み込みとを行える様に構成される場合がある。その様な原稿自動送り装置の構成としては、特許文献１に示される様に原稿トレイから原稿を送り出し、ローラーによってＵ字反転させた後に原稿を読み取り位置に搬送し、そして排出トレイに向けて排出する構成が採られたものがある。
【先行技術文献】
【特許文献】
【０００４】
【特許文献１】特開２０１０−２８５４６号公報
【発明の概要】
【発明が解決しようとする課題】
【０００５】
ところで、自動原稿送り装置においては（或いはプリンターに代表される記録装置においても）、排出された原稿を支持する排出トレイの排出面上に複数のリブを設け、原稿排出面への原稿の密着を防止することで原稿を容易に取り出すことができる様に構成される場合がある。一方、電子機器においては機能に加えてデザイン性が重要視される傾向が強く、上記の様なリブは美観を確保する観点で好ましくない。他方、一定の美観を維持する為に上記の様なリブを設けないと、或いはリブの高さを低くしてしまうと、原稿の取り出し性が犠牲となってしまう。
【０００６】
そこで本発明はこの様な状況に鑑み成されたものであり、その目的は、優れた美観を得ることができながらも、排出された原稿を容易に取り出すことのできる媒体搬送装置を提供することにある。
【課題を解決するための手段】
【０００７】
上記課題を解決する為の、本発明の第１の態様に係る媒体搬送装置は、媒体を搬送する媒体搬送経路の外に媒体を排出する媒体排出手段と、前記媒体排出手段によって排出された媒体を受ける媒体受け手段と、を備え、前記媒体受け手段は、媒体を支持する第１媒体受け面を形成する第１媒体受け部材と、前記第１媒体受け部材より媒体排出方向下流側に設けられるとともに、媒体を支持する第２媒体受け面を形成する第２媒体受け部材と、を備えて構成され、前記第１媒体受け部材は、前記第１媒体受け面が前記第２媒体受け面と接続して装置外観面を形成する第１状態と、前記第１媒体受け面が前記第２媒体受け面との間に段差を形成する第２状態と、を切り換え可能に設けられていることを特徴とする。
【０００８】
本態様によれば、前記第１媒体受け部材は、前記第１媒体受け面が前記第２媒体受け面と接続して装置外観面を形成する第１状態と、前記第１媒体受け面が前記第２媒体受け面との間に段差を形成する第２状態と、を切り換え可能に設けられていることから、前記第２状態では前記段差によって排出された媒体が媒体受け面に密着することを防止でき、媒体を容易に取り出すことができる。そして前記第１状態では、前記第１媒体受け面が前記第２媒体受け面と接続して装置外観面を形成するので、優れた装置美観を得ることが可能となる。
【０００９】
本発明の第２の態様は、第１の態様において、前記第１媒体受け部材が前記第１状態をとるとき、当該第１媒体受け部材が媒体を排出する媒体排出口を塞ぎ、前記第１媒体受け部材が前記第２状態をとるとき、前記第１媒体受け部材が前記媒体排出口を開放する構成を備えることを特徴とする。
【００１０】
本態様によれば、前記第１媒体受け部材は前記第１状態をとるときに媒体を排出する媒体排出口を塞ぐので、前記第１状態において装置の美観をより一層向上させることができる。
【００１１】
本発明の第３の態様は、第１のまたは第２の態様において、前記第１媒体受け部材が前記第２状態にあるとき、当該第２状態を維持する様に前記第１媒体受け部材を拘束する拘束手段を有することを特徴とする。
【００１２】
本態様によれば、前記第１媒体受け部材が前記第２状態にあるとき、当該第２状態を維持する様に前記第１媒体受け部材を拘束する拘束手段を有するので、例えば排出された媒体の重さによって前記第１媒体受け部材が前記第１状態に切り換わってしまうことがなく、前記第２状態における媒体の取り出し容易性を確実に維持することができる。
【００１３】
本発明の第４の態様は、第１から第３の態様のいずれかにおいて、前記媒体搬送経路の入口に、給送される媒体を支持する媒体サポートを備え、前記媒体サポートは、回動することにより媒体を支持可能な開姿勢と、装置の外観を構成する閉姿勢と、を切り換え可能に設けられ、前記媒体サポートと前記第１媒体受け部材とがリンク部材を介して係合し、前記媒体サポートが閉じる方向に回動すると前記第１媒体受け部材が前記第１状態に切り換わり、前記媒体サポートが開く方向に回動すると前記第１媒体受け部材が前記第２状態に切り換わる構成を備えることを特徴とする。
【００１４】
本態様によれば、前記第１媒体受け部材が、給送される媒体を支持する媒体サポートの動作に連係して状態切り換えを行うので、媒体サポートと第１媒体受け部材とを別個に操作する必要が無く、装置の操作性を向上させることができる。
【００１５】
本発明の第５の態様は、媒体を搬送する媒体搬送経路の外に媒体を排出する媒体排出手段と、前記媒体排出手段によって排出された媒体を受ける媒体受け手段と、を備え、前記媒体受け手段は、媒体を支持する媒体受け面を形成するとともに、媒体を排出する媒体排出口を塞ぐ第１状態と、前記媒体排出口を開放する第２状態と、を切り換え可能に設けられた媒体受け部材と、前記媒体受け部材が前記第１状態をとる際には前記媒体受け部材の下側に位置しており、前記媒体受け部材が前記第２状態をとる際には前記媒体受け部材に形成された穴部から前記媒体受け面上に突出する突起と、を備えて構成されていることを特徴とする。
【００１６】
本態様によれば、前記媒体受け部材は、媒体排出口を塞ぐ第１状態と、媒体排出口を開放する第２状態と、を切り換え可能に設けられていることから、前記第１状態では媒体排出口が塞がれることで優れた装置美観を得ることが可能となる。そして前記第２状態では、媒体受け部材に形成された穴部から突起が突出することから、当該突起によって排出された媒体が媒体受け面に密着することを防止でき、媒体を容易に取り出すことができる。しかも、この突起は前記第１状態では前記媒体受け部材の下側に位置しているので、装置の美観を損ねることもない。
【００１７】
本発明の第６の態様は、媒体の面を読み取る読み取り手段と、媒体を前記読み取り手段による読み取り位置へと搬送する、第１から第５の態様のいずれかに係る媒体搬送装置を備えたスキャナ装置である。更に本発明の第７の態様は、媒体に記録を行う記録部と、前記記録部の上部に設けられた、第６の態様に係るスキャナ装置とを備えた記録装置である。これらの態様によれば、スキャナ装置、或いは記録装置において、上述した第１から第５の態様と同様な作用効果を得ることができる。
【図面の簡単な説明】
【００１８】
【図１】本発明に係る自動原稿搬送装置の斜視図（原稿サポートの閉状態／第１原稿受け部の第１状態）。
【図２】本発明に係る自動原稿搬送装置の斜視図（原稿サポートの開状態／第１原稿受け部の第２状態）。
【図３】本発明に係る自動原稿搬送装置の側断面図（読み取り位置側）。
【図４】本発明に係る自動原稿搬送装置の側断面図（排紙側：原稿サポートの閉状態／第１原稿受け部の第１状態）。
【図５】本発明に係る自動原稿搬送装置の側断面図（排紙側：原稿サポートの開状態／第１原稿受け部の第２状態）。
【図６】原稿サポートと第１原稿受け部の係合部位の断面図。
【図７】原稿サポートと第１原稿受け部の係合部位の断面図。
【図８】原稿サポートと第１原稿受け部の係合部位の断面図。
【図９】原稿サポートと第１原稿受け部の係合部位の断面図。
【図１０】本発明に係る自動原稿搬送装置の一部平面図。
【図１１】被規制部と規制部の斜視図。
【図１２】本発明の他の実施形態に係る自動原稿搬送装置の斜視図（原稿サポートの閉状態／原稿受け部の第１状態）。
【図１３】本発明の他の実施形態に係る自動原稿搬送装置の斜視図（原稿サポートの開状態／原稿受け部の第２状態）。
【発明を実施するための形態】
【００１９】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２０】
図１及び図２は本発明に係る媒体搬送装置としての自動原稿搬送装置（ＡＤＦ（Auto
Document Feeder））１の斜視図であり、図１は媒体サポートとしての原稿サポート２０が閉状態にあり且つ第１媒体受け部材としての第１原稿受け部２４が第１状態にある様子を、図２は原稿サポート２０が開状態にあり且つ第１原稿受け部２４が第２状態にある様子を、それぞれ示している。また図３〜図５は自動原稿搬送装置１の媒体搬送経路の側断面図であり、図３は読み取り位置Ｙ１側を、図４及び図５は原稿排紙側を、それぞれ示している。
【００２１】
また図６〜図９は原稿サポート２０と第１原稿受け部２４との係合部位の断面図であり、図６、図８は原稿サポート２０が閉状態にあり且つ第１原稿受け部２４が第１状態にある様子を、図７、図９は原稿サポート２０が開状態にあり且つ第１原稿受け部２４が第２状態にある様子を、それぞれ示している。尚、図６及び図７と、図８及び図９は、原稿幅方向（図６〜図９において紙面表裏方向）における切断位置が僅かに異なっている。更に、図１０は自動原稿搬送装置１の一部平面図、図１１は被規制部２０ｃ及び規制部２ａの斜視図である。
【００２２】
以下、図１〜図５を参照しながら自動原稿搬送装置１の外観構成及び媒体搬送経路上の構成について概説する。自動原稿搬送装置１は、全体図示を省略するインクジェットプリンターの、最も上部に設けられる。図３において符号４０は用紙に記録を行う記録部を、符号３０は記録部４０の上部に設けられるスキャナユニットを示しており、自動原稿搬送装置１は当該スキャナユニット３０の上部に設けられる。
【００２３】
図１及び図２に示す様に自動原稿搬送装置１は上部筐体１ａと下部筐体１ｂとで装置の基体が構成されており、上部筐体１ａには原稿サポート２０が回動可能に設けられ、また第１原稿受け部２４が揺動可能に設けられている。また更に、第２原稿受け部２６が固定的に設けられている。そしてこれら原稿サポート２０、第１原稿受け部２４、第２原稿受け部２６、のこれらによって自動原稿搬送装置１の上部外観が構成される。尚、第１原稿受け部２４と第２原稿受け部２６は、排出される原稿を受ける原稿受け手段２３を構成する。
【００２４】
原稿サポート２０は、その内側に図２に示す様に原稿幅方向に移動可能なエッジガイド１７、１８を備えており、またその内部に延長サポート２２をスライド自在に備えている。原稿サポート２０が開いた状態では、図２に示す様に延長サポート２２を原稿サポート２０から引き出すことで、原稿を支持する支持面が延長されて長尺な原稿を支持できる様になっている。
【００２５】
続いて媒体としての原稿が搬送される媒体搬送経路の構成について詳説する。尚、図３において符号Ｐは、自動原稿搬送装置１内を搬送される原稿の通過軌跡を示している。図３において符号２は原稿先端支持部を示しており、この原稿先端支持部２によってセットされた原稿先端が支持される。
【００２６】
原稿先端支持部２の先端側には図示を省略するモーターによって駆動される給送ローラー３が、図示を省略する昇降機構によって原稿先端支持部２に積載された複数枚の原稿に対し接離動作することができる様に設けられており、給送ローラー３が複数枚の原稿のうち最上位のものに接した状態で回転することにより、当該最上位の原稿が下流側に送り出される。
【００２７】
給送ローラー３の下流側には、図示を省略するモーターによって正転方向に駆動される分離ローラー５と、この分離ローラー５との間で原稿をニップする分離パッド４とが対向配置されており、送り出される原稿が給送ローラー３と分離パッド４との間でニップされることにより、送り出される原稿と、次位以降の原稿とが分離される様になっている。
【００２８】
給送ローラー３より下流側に設けられた符号６で示すローラーは図示を省略するモーターによって駆動される中間送りローラーを示し、符号７で示すローラーは中間送りローラー６に接して従動回転する従動ローラーである。
【００２９】
これら中間送りローラー６と従動ローラー７から下流側は、原稿を湾曲反転して搬送する湾曲搬送経路（湾曲反転経路）が形成されている。尚、符号１６はこの湾曲反転経路の一部を形成して原稿を下流側へ案内する可動フラップを示している。湾曲反転経路の内側にはガイドローラー８が自由回転可能に設けられ、その更に下流側には図示を省略するモーターによって駆動される駆動ローラーとしての、大径の反転ローラー１０が設けられている。反転ローラー１０には従動ローラー１１が接しており、原稿がこれら反転ローラー１０と従動ローラー１１とでニップされた状態で反転ローラー１０が回転することにより、更に下流側へと搬送される。
【００３０】
反転ローラー１０と従動ローラー１１の下流側では、原稿はスキャナユニット３０を構成する原稿台ガラス３１の上面に到達する。符号Ｙ１はスキャナユニット３０による原稿読み取り位置を示しており、この読み取り位置Ｙ１に、読み取り手段としての読み取りセンサーを備えたセンサーキャリッジ３３が停止した状態に置かれる。
【００３１】
即ち、このセンサーキャリッジ３３は、自動原稿搬送装置１を利用しない読み取り時には主走査方向（図３の左右方向）に移動することで原稿台ガラス３１に載置された原稿をスキャニングするが、自動原稿搬送装置１を利用した読み取り時には、読み取り位置Ｙ１に停止し、原稿側が動くことでスキャニングが行われる。
【００３２】
読み取り位置Ｙ１の下流側には、図示を省略するモーターによって駆動される排出駆動ローラー１３と、これに接して従動回転する従動ローラー１４と、によって構成される原稿排出手段が設けられており、読み取りの終了した原稿はこれらローラーによって媒体搬送経路外の原稿受け手段１３に向けて排出される。
【００３３】
以上が自動原稿搬送装置１の大略構成であり、以下では原稿サポート２０及び原稿受け手段１３について詳説する  
排出された原稿を受ける原稿受け手段１３は、第１原稿受け面２４ａを形成する第１原稿受け部２４と、第１原稿受け部材より原稿排出方向下流側に設けられるとともに、原稿を支持する第２原稿受け面２６ａを形成する第２原稿受け部２６と、を備えて構成されている。
【００３４】
第１原稿受け部２４は、第１原稿受け面２４ａが第２原稿受け面２６ａと接続して面一で滑らかな装置外観面を形成する第１状態（図１、図４、図６、図８）と、第１原稿受け面２４ａの下流側端部が第２原稿受け面２６ａの上流側端部との間に段差を形成する第２状態（図２、図５、図７、図９）と、を切り換え可能に設けられている。尚、本明細書において第１原稿受け面２４ａと第２原稿受け面２６ａとが「接続する」とは、第２状態との比較において２つの面の間に形成される段差が相対的に小さいことを意味するものであり、必ずしも厳密に面一になることを意味するものではなく、多少の段差が形成される態様をも含むものである。
【００３５】
第１原稿受け部２４は、揺動軸２４ｂ（図８、図９参照）を中心にして揺動可能に設けられており、揺動することによって上記第１状態と第２状態とを切り換える様になっている。
【００３６】
尚、第１原稿受け部２４が第１状態にあるとき、図４に示す様に原稿排出口（図５において符号１５で示す）が第１原稿受け部２４によって塞がれた状態にある。そして第１原稿受け部２４が第２状態になることで、図５に示す様に原稿排出口１５が開放される様になっている。
【００３７】
一方、給送前の原稿を支持する原稿サポート２０は、両端の回動軸２０ａが上部筐体１ａに形成された軸受部１ｄに軸支されることにより回動可能に支持されており（図１０）、回動することによって原稿を支持可能な開姿勢（図２、図５、図７、図９）と、装置の外観を構成する閉姿勢（図１、図４、図６、図８）と、を切り換え可能となっている。
【００３８】
原稿サポート２０は、閉姿勢においては例えば図１に示す様にその上面が第１原稿受け面２４ａと接続し、面一で滑らかな装置外観面が形成される。尚、図４〜図９においては原稿サポート２０の回動軸２０ａは位置的に図に表れない為、回動中心を示す位置として点によって示している。
【００３９】
以上の原稿サポート２０と第１原稿受け部２４とは、リンク部材２８（図６〜図９）を介して係合することにより連動して動作する様に構成されており、より具体的には原稿サポート２０が閉状態にあるときは第１原稿受け部２４は第１状態をとり、この状態から原稿サポート２０を開くことによって第１原稿受け部２４が第１状態から第２状態に切り換わる様になっている。
【００４０】
リンク部材２８は、原稿サポート２０の回動軸２０ａからややずれた位置に設けられた揺動軸２８ａを介して原稿サポート２０に設けられており、そして原稿サポート２０の回動動作に伴い、その先端側が下部筐体１ｂに設けられたガイド斜面１ｃに乗り上げる（或いは下る）ことでその位置と姿勢を変化させる様になっている。尚、本実施形態ではリンク部材２８は原稿サポート２０の幅方向両側に設けられているが、幅方向のいずれか一方側にのみ設けても良い。
【００４１】
このリンク部材２８の先端側にはカム溝２８ｂが形成されており、このカム溝２８ｂ内に、第１原稿受け部２４において回動軸２４ｂから離れた位置に形成されたボス２４ｄ（カムフォロワとして機能）が遊挿された状態となっている。従って原稿サポート２０の回動動作に伴ってリンク部材２８の位置及び姿勢が変化すると、カム溝２８ｂ内でボス２４ｄが動き、これに伴い第１原稿受け部２４が揺動軸２４ｂを中心に揺動し、当該第１原稿受け部２４が第１状態（図６）と第２状態（図７）とを切り換える。
【００４２】
尚、リンク部材２８においてカム溝２８ｂが設けられた位置とは別の位置には、図８及び図９に示す様に被拘束部２８ｃが形成されており、この被拘束部２８ｃが、第１原稿受け部２４に形成された規制面２４ｃに沿って移動できる様になっている。
【００４３】
そして第１原稿受け部２４が第１状態をとるとき（図８）、被拘束部２８ｃに規制面２４ｃが乗り上がった状態となることで、第１原稿受け部２４は第１状態から第２状態に容易に切り換わらない様に拘束された状態となる。加えて、本実施形態では第１原稿受け部２４の上流側端部２４ｆが、原稿サポート２０の基端側端部に形成された被規制部２０ｃに乗り上がった状態となることによっても（図４）、第１原稿受け部２４の第１状態が維持される。
【００４４】
そして第１原稿受け部２４が第２状態をとるとき（図９）、被拘束部２８ｃの下側に第１原稿受け部２４に形成された拘束部２４ｅが入り込み、且つ、リンク部材２８が上部筐体１ａに形成された拘束部１ｆによって上方への移動ができない様に拘束された状態となる。この様に被拘束部２８ｃ、拘束部２４ｅ、拘束部１ｆ、のこれらによって構成される拘束手段によって、第１原稿受け部２４は第２状態から第１状態に容易に切り換わらない様に拘束された状態となる。
【００４５】
以上説明した様に、第１原稿受け部２４は、第１原稿受け面２４ａが第２原稿受け面２６ａと接続して段差の無い滑らかな装置外観面を形成する第１状態（図１、図４、図６、図８）と、第１原稿受け面２４ａの下流側端部が第２原稿受け面２６ａの上流側端部との間に段差を形成する第２状態（図２、図５、図７、図９）と、を切り換え可能に設けられている。
【００４６】
従って第２状態では第１原稿受け面２４ａと第２原稿受け面２６ａとの間に形成される段差（図５において符号ｈで示す）によって、排出された原稿が各原稿受け面に密着することを防止でき、原稿を容易に取り出すことができる。そして第１状態では、第１原稿受け面２４ａが第２原稿受け面２６ａと接続して段差の無い滑らかな（面一な）装置外観面が形成されるので、優れた装置美観を得ることが可能となる。
【００４７】
尚、本実施形態において第１原稿受け部２４の姿勢を変化させるリンク部材２８のカム溝２８ｂは、原稿サポート２０が開いた状態からこれを閉じる方向に回動させる際、その途中までは第１原稿受け部２４の姿勢を殆ど変化させず、そして原稿サポート２０が完全に閉じる直前に第１原稿受け部２４を第１状態（図１）に変化させるように形成されている。
【００４８】
また、本実施形態では第１原稿受け部２４が第１状態にあるとき、原稿排出口１５が第１原稿受け部２４によって塞がれた状態となるので、第１原稿受け部２４が第１状態にあるときに装置の美観をより一層向上させることができる。
【００４９】
そしてまた、本実施形態では原稿サポート２０と第１原稿受け部２４とがリンク部材２８を介して係合し、原稿サポート２０が閉じる方向に回動すると第１原稿受け部２４が前記第２状態から前記第１状態に切り換わり、原稿サポート２０が開く方向に回動すると第１原稿受け部２４が前記第２状態に切り換わるので、装置の操作性を向上させることができる。
【００５０】
ところで、給送前の原稿を支持する原稿サポート２０は、図１０を参照しながら説明した様に両端の回動軸２０ａが上部筐体１ａに形成された軸受部１ｄに軸支されることにより回動可能に支持されているが、回動軸２０ａは、軸受部１ｄにおいて回動軸線方向（図１０の上下方向）に所定の遊びを設けた状態で軸支されている。
【００５１】
一方、原稿サポート２０には基端側端部の中程に、図１１に示す様に舌片状の被規制部２０ｃが形成されており、この被規制部２０ｃが、原稿サポート２０が開姿勢をとるとき、即ち原稿送り出し際には、媒体搬送経路を構成する原稿先端支持部２に形成された規制部２ａ、２ａによって両側から挟まれ、動きが規制される様になっている。
【００５２】
即ち、原稿サポート２０は、開姿勢においては回動軸２０ａの回動軸線方向（原稿幅方向）の位置が媒体搬送経路に対して厳格に定まることとなり、これにより給送される原稿は原稿幅方向の位置が狂うことなく、良好な給送結果を得ることができる。
【００５３】
特に、原稿サポート２０はエッジガイド１７、１８を備えているので、仮に媒体搬送経路に対する原稿サポート２０の位置がずれてしまうと、良好な搬送結果を得ることができない。しかし、上記の通り原稿サポート２０は開姿勢において原稿幅方向の位置が厳格に定まるので、適切な搬送結果（ひいては、適切な原稿読み取り結果）を得ることができる。
【００５４】
そして原稿サポート２０が閉姿勢をとるとき、即ち装置外観を構成する際には、被規制部２０ｃが規制部２ａ、２ａによって両側から挟まれた状態が解除される。即ち、原稿サポート２０は回動軸２０ａの回動軸線方向に或る程度動くことができる様な状態となり、そしてこの状態で、図１０に示すように上部筐体１ａに形成された収容凹部１ｅに収容された状態となる。
【００５５】
つまり、原稿サポート２０ａは閉姿勢において収容凹部１ｅによってその位置が規定されることとなるので、収容凹部１ｅ内において原稿サポート２０の位置が偏ることがなく、即ち原稿サポート２０の外周２０ｄと収容凹部１ｅの内周との間の隙間が左右（図１０の上側と下側）でばらつかない為、装置の美観を確保することができる。
【００５６】
続いて、図１２及び図１３を参照しながら本発明の他の実施形態について説明する。ここで、図１２及び図１３は本発明の他の実施形態に係る自動原稿搬送装置１’の斜視図であり、図１２は原稿サポート２０’が閉状態にあり且つ原稿受け部２４’が第２状態にある様子を、図１３は原稿サポート２０’が開状態にあり且つ原稿受け部２４’が第２状態にある様子を、それぞれ示している。
【００５７】
原稿受け手段２３’を構成する原稿受け部２４’は、既に説明した第１原稿受け部２４と同様に、原稿排出口１５（図５）を塞ぐ第１状態と、原稿排出口１５を開放する第２状態と、を切り換え可能に設けられている。また、原稿サポート２０’も、既に説明した原稿サポート２０と同様に、回動することによって原稿を支持可能な開姿勢（図１３）と、装置外観を構成する閉姿勢（図１２）と、を切り換え可能となっている。尚、図１３において符号２’は原稿先端支持部を示し、符号１７’、１８’はエッジガイドを示している。
【００５８】
本実施形態において原稿受け部２４’が第１状態をとるとき、当該原稿受け部２４’の下方には突起３０、３０が位置している。そして原稿受け部２４’が図１２の第１状態から図１３の第２状態に切り換わると、原稿受け部２４’に形成されたスリット穴２４ｅ、２４ｅから、突起３０、３０が原稿受け面上に突出する様になっている。尚、突起３０ａ、３０ａは、原稿排出時に原稿先端が引っ掛からない様に、上流側が傾斜面で形成されている。
【００５９】
以上の構成により、原稿受け部２４’が第２状態をとるときは、突起３０、３０によって排出された原稿が浮き上がり、これを容易に取り出すことが可能となる。また、原稿受け部２４’が第１状態をとるときは、突起３０、３０は原稿受け部２４’の下側に位置し、外部に露呈しない状態となるので（図１２）、装置の美観を損ねることもない。
【００６０】
以上説明した実施形態は一例であり、これに限られないことは言うまでもない。例えば、以上説明した実施形態では、本発明の媒体搬送装置をスキャナ装置に設けられる自動原稿送り装置に対して適用したが、これに限られず、被記録媒体に記録を行う記録装置において被記録媒体を搬送する搬送装置に対して適用することも可能である。
【符号の説明】
【００６１】
１  自動原稿搬送装置、２  原稿先端支持部、３  給送ローラー、４  分離パッド、５  分離ローラー、６  中間送りローラー、７、８  従動ローラー、１０  反転ローラー、１１  従動ローラー、１３  排出駆動ローラー、１４  排出従動ローラー、１５  原稿排出口、１６  可動フラップ、１７、１８  エッジガイド、２０  原稿サポート、２２  延長サポート、２３  原稿受け手段、２４  第１原稿受け部、２４ａ  第１原稿受け面、２６  第２原稿受け部、２６ａ  第２原稿受け面、２８  リンク部材、３０  スキャナユニット、３１  原稿台ガラス、３３  センサーキャリッジ、４０  記録部、Ｐ  原稿
【図１】
2012197169.tif 000003
【図２】
2012197169.tif 000004
【図３】
2012197169.tif 000005
【図４】
2012197169.tif 000006
【図５】
2012197169.tif 000007
【図６】
2012197169.tif 000008
【図７】
2012197169.tif 000009
【図８】
2012197169.tif 000010
【図９】
2012197169.tif 000011
【図１０】
2012197169.tif 000012
【図１１】
2012197169.tif 000013
【図１２】
2012197169.tif 000014
【図１３】
2012197169.tif 000015